(57)【要約】      （修正有）【課題】モールド成形された樹脂またはポリマー製ハウジングに高トルクを受ける継手を保持するモジュールを提供する。【解決手段】第１と第２のモジュール部分を具備し、第１と第２のモジュール部分の間に少なくとも１つの継手が保持される。第１と第２のモジュール部分の各々が第１と第２のポケット部と、舌部と溝とを含む。第１のポケット部は、他方に設けられた第１と第２のポケット部と協働して、ハンドルの先端部に設けられるボスおよび継手を受容する。一方のモジュール部分の溝は他方のモジュール部分の舌部を受承する。【選択図】図１
0003170820.tif 000002
【実用新案登録請求の範囲】
【請求項１】
工具に取付けるモジュールにおいて、
第１と第２のモジュール部分を具備し、該第１と第２のモジュール部分を互いに組付けるとき、該第１と第２のモジュール部分の間に少なくとも１つの継手が配設されるようにしたモジュール。
【請求項２】
前記第１と第２のモジュール部分は、１つのモジュールに組立てられたときに、前記少なくとも１つの継手を受容するように相補形の形状部分を有している請求項１に記載のモジュール。
【請求項３】
前記工具は塗料噴出装置を具備し、前記少なくとも１つの継手は塗料継手と、圧縮気体継手の双方を含み、該第１と第２のモジュール部分は、組立てられたモジュール内に塗料継手と、圧縮気体継手を受容するように相補形に形成された部分を含んでいる請求項２に記載のモジュール。
【請求項４】
前記塗料継手と、圧縮気体継手の双方は金属製継手を具備し、前記第１と第２のモジュール部分は金属製締結具によって互いに組付けられ、前記モジュールは、更に、前記第１と第２のモジュール部分の少なくとも一方が導電性素子を受容するように形成されており、該導電性素子は、導電性素子を前記金属製継手および金属製締結具に押接することによって、或いは、該導電性素子と前記金属製継手および金属製締結具との間に導体を配設することによって、前記金属製継手および金属製締結具に接続される請求項３に記載のモジュール。
【請求項５】
更に、前記導電性素子と該導電性素子に結合された前記金属製継手および金属製締結具を接地に接続するために、前記圧縮気体継手および接地に結合された接地管路を更に含む請求項４に記載のモジュール。
【請求項６】
シャフトと、該シャフトに取付けられたタービンホイールとを有した発電機を更に含み、該発電機は、圧縮気体によって前記タービンホイールを駆動することによって駆動される請求項３に記載のモジュール。
【請求項７】
圧縮気体を前記タービンホイールに供給し前記発電機を駆動して、前記塗料吐出装置用に発電するために、前記第１と第２のモジュール部分に設けられた通路を更に含む請求項６に記載のモジュール。
【請求項８】
前記第１と第２のモジュール部分の各々は、第１の形状部分と、組立てられたモジュールとなったときに、第１の形状部分を受容する第２の形状部分とを含む請求項６に記載のモジュール。
【請求項９】
前記モジュールは、ピストル形に形成された塗料吐出装置のハンドルの先端部に取付けるようになっており、
組立てられたモジュールの前記ハンドルに対する配向を補助するために、前記第１と第２のモジュール部分の各々は、該第１と第２のモジュール部分の他方と恊働して前記ハンドルの先端部に設けられた第２の形状部分を受容する形状部分を含んでいる請求項１に記載のモジュール。
【請求項１０】
前記第１と第２のモジュール部分は、該第１と第２のモジュール部分に設けられた複数の通路に受容される複数のネジ締結具によって互いに接合されて前記組立てられたモジュールとなる請求項１に記載のモジュール。
【請求項１１】
前記複数の通路間にモジュールをハンドルに取付けるためのネジ締結具を受容するための空間が形成されている請求項１０に記載のモジュール。
【請求項１２】
発電機を更に含み、
該発電機が、シャフトと、圧縮気体により駆動され該発電機を駆動する前記シャフトに取付けられたタービンホイールとを有している請求項１に記載のモジュール。
【請求項１３】
第１と第２のモジュール部分の少なくと一方に設けられた通路を更に含み、該通路によって前記タービンホイールに圧縮気体を供給して前記発電機を駆動し、前記工具のために発電するようにした請求項１０に記載のモジュール。
【請求項１４】
塗料吐出装置のハンドルの端部に取付けるモジュールにおいて、
少なくとも塗料源に結合するための塗料継手と、第１と第２のモジュール部分とを具備し、該第１と第２のモジュール部分を互いに組付けるとき、該第１と第２のモジュール部分の間に前記塗料継手が配置されるようにしたモジュール。
【請求項１５】
前記塗料源は液体塗料源を具備し、前記モジュールが更に圧縮気体継手を具備し、圧縮空気源が前記圧縮気体継手に結合されるようにした請求項１４に記載のモジュール。
【考案の詳細な説明】
【技術分野】
【０００１】
本考案は、本明細書では噴霧ガンとも記載することがある静電塗料噴霧器に関する。圧縮ガス、典型的には圧縮空気によって駆動される噴霧ガンに関連して本考案を開示するが、考案の範囲をこれに限定する趣旨ではない。以下、こうしたガンをコードレス噴霧ガン或いはコードレスガンと記載することもある。
【０００２】
本願は、米国特許出願第12/045,155号「空気式静電霧化、噴出装置用密封された電源」米国特許出願第12/045,175号「空気式静電塗料噴霧器用回路基板の形態」、米国特許出願12/045,173号「空気式静電塗料噴霧器の温度制御」、米国特許出願第12/045,169号「静電塗料噴霧器の出力電極における相対電圧の表示回路」、米国特許出願第12/045,178号「空気式静電塗料噴霧装置」および米国特許出願第12/045,354号「高トルク継手を成形樹脂つまりポリマー製ハウジングに保持するための方法および装置」に関連しており、これらの出願は本願と同日に出願されている。これら出願の開示内容は、本願と一体をなすものとして参照する。
【背景技術】
【０００３】
様々なタイプの手動式噴霧ガン、自動式噴霧ガンが公知となっている。米国特許第4,219,865号、米国特許第4,290,091号、米国特許第4,377,838号、米国特許第4,491,276号にはコードレス静電ハンドガンが記載されている。また、自動式噴霧ガンおよび手動式噴霧ガンが、例えば、米国特許出願公開第2006/0283386号、米国特許出願公開第2006/0219824号、米国特許出願公開第2006/0081729号、米国特許出願公開第2004/0195405号、米国特許出願公開第2003/0006322号、米国特許第7,296,760号、米国特許第7,296,759号、米国特許第7,292,322号、米国特許第7,247,205号、米国特許第7,217,442号、米国特許第7,166,164号、米国特許第7,143,963号、米国特許第7,128,277号、米国特許第6,955,724号、米国特許第6,951,309号、米国特許第6,929,698号、米国特許第6,916,023号、米国特許第6,877,681号、米国特許第6,854,672号、米国特許第6,817,553号、米国特許第6,796,519号、米国特許第6,790,285号、米国特許第6,776,362号、米国特許第6,758,425号、再発行特許第RE38,526号、米国特許第6,712,292号、米国特許第6,698,670号、米国特許第6,679,193号、米国特許第6,669,112号、米国特許第6,572,029号、米国特許第6,488,264号、米国特許第6,460,787号、米国特許第6,402,058号、再発行特許第RE36,378号、米国特許第6,276,616号、米国特許第6,189,809号、米国特許第6,179,223号、米国特許第5,836,517号、米国特許第5,829,679号、米国特許第5,803,313号、再発行特許第RE35,769号、米国特許第5,647,543号、米国特許第5,639,027号、米国特許第5,618,001号、米国特許第5,582,350号、米国特許第5,553,788号、米国特許第5,400,971号、米国特許第5,395,054号、米国デザイン特許第D350,387号、米国デザイン特許第D349,559号、米国特許第5,351,887号、米国特許第5,332,159号、米国特許第5,332,156号、米国特許第5,330,108号、米国特許第5,303,865号、米国特許第5,299,740号、米国特許第5,289,977号、米国特許第5,289,974号、米国特許第5,284,301号、米国特許第5,284,299号、米国特許第5,236,425号、米国特許第5,236,129号、米国特許第5,218,305号、米国特許第5,209,405号、米国特許第5,209,365号、米国特許第5,178,330号、米国特許第5,119,992号、米国特許第5,118,080号、米国特許第5,180,104号、米国デザイン特許第D325.241号、米国特許第5,093,625号、米国特許第5,090,623号、米国特許第5,080,289号、米国特許第5,074,466号、米国特許第5,073,709号、米国特許第5,064,119号、米国特許第5,063,350号、米国特許第5,054,687号、米国特許第5,039,019号、米国デザイン特許第D318,712号、米国特許第5,022,590号、米国特許第4,993,645号、米国特許第4,978,075号、米国特許第4,934,607号、米国特許第4,934,603号、米国デザイン特許第D313,064号、米国特許第4,927,079号、米国特許第4,921,172号、米国特許第4,911,367号、米国デザイン特許第D305,453号、米国デザイン特許第D305,452号、米国デザイン特許第D305,057号、米国デザイン特許第D303,139号、米国特許第4,890,190号、米国特許第4,844,342号、米国特許第4,828,218号、米国特許第4,819,879号、米国特許第4,770,117号、米国特許第4,760,962号、米国特許第4,759,502号、米国特許第4,747,546号、米国特許第4,702,420号、米国特許第4,613,082号、米国特許第4,606,501号、米国特許第4,572,438号、米国特許第4,567,911号、米国デザイン特許第D287,266号、米国特許第4,537,357号、米国特許第4,529,131号、米国特許第4,513,913号、米国特許第4,483,483号、米国特許第4,453,670号、米国特許第4,437,614号、米国特許第4,433,812号、米国特許第4,401,268号、米国特許第4,361,283号、米国デザイン特許第D270,368号、米国デザイン特��第D270,367号、米国デザイン特許第D270,180号、米国デザイン特許第D270,179号、再発行特許第RE30,968号、米国特許第4,331,298号、米国特許第4,289,278号、米国特許第4,285,446号、米国特許第4,266,721号、米国特許第4,248,386号、米国特許第4,216,915号、米国特許第4,214,709号、米国特許第4,174,071号、米国特許第4,174,070号、米国特許第4,171,100号、米国特許第4,169,545号、米国特許第4,165,022号、米国デザイン特許第D252,097号、米国特許第4,133,483号、米国特許第4,122,327号、米国特許第4,116,364号、米国特許第4,114,564号、米国特許第4,105,164号、米国特許第4,081,904号、米国特許第4,066,041号、米国特許第4,037,561号、米国特許第4,030,857号、米国特許第4,020,393号、米国特許第4,002,777号、米国特許第4,001,935号、米国特許第3,990,609号、米国特許第3,964,683号、米国特許第3,949,266号、米国特許第3,940,061号、米国特許第3,932,071号、米国特許第3,557,821号、米国特許第3,169,883号、米国特許第3,169,882号に記載されている。また、国際特許出願公開第WO 2005/014177号および国際特許出願公開第WO01/85353号にも開示されている。また、欧州特許出願公開第EP 0 734 777号および英国特許出願公開第GB 2 153 260号にも開示されている。更に、オハイオ州トレドフィリップス通り３２０(320 Phillips Avenue, Toledo, Ohio, 43612-1493)所在のITWランズバーグ社から市販のランズバーグモデルREA 3、REA 4、REA 70、REA 90、REMおよびM-90ガンもある。
【０００４】
これらの文献の開示は、本願と一体をなすものとして参照する。上記に列挙した文献は、全ての関連技術サーチの完了を示すこと、これ以外に関連技術が存在していなこと、或いは、列挙した文献が特許性の資料とすることを意図していない。更に、そうしたことを暗示してもいない。
【考案の概要】
【課題を解決するための手段】
【０００５】
本考案の１つの特徴によれば、工具に取付けるモジュールが第１と第２のモジュール部分を具備し、該第１と第２のモジュール部分を互いに組付けるとき、該第１と第２のモジュール部分の間に少なくとも１つの継手が配設されるようになっている。
【０００６】
この特徴によれば、前記第１と第２のモジュール部分は、１つのモジュールに組立てられたときに、前記少なくとも１つの継手を受容するように相補形の形状部分を設けることができる。
【０００７】
この特徴によれば、前記工具は塗料噴出装置を具備し、前記少なくとも１つの継手は塗料継手と、圧縮気体継手の双方を含み、該第１と第２のモジュール部分は、組立てられたモジュール内に塗料継手と、圧縮気体継手を受容するように相補形に形成された部分を含むようにできる。
【０００８】
この特徴によれば、前記塗料継手と、圧縮気体継手の双方は金属製継手を具備し、前記第１と第２のモジュール部分は金属製締結具によって互いに組付けられ、前記モジュールは、更に、前記第１と第２のモジュール部分の少なくとも一方が導電性素子を受容するように形成されており、該導電性素子は、導電性素子を前記金属製継手および金属製締結具に押接することによって、或いは、該導電性素子と前記金属製継手および金属製締結具との間に導体を配設することによって、前記金属製継手および金属製締結具に接続されるようにできる。
【０００９】
この特徴によれば、更に、前記導電性素子と該導電性素子に結合された前記金属製継手および金属製締結具を接地に接続するために、前記圧縮気体継手および接地に結合された接地管路を更に含むことができる。
【００１０】
この特徴によれば、シャフトと、該シャフトに取付けられたタービンホイールとを有した発電機を更に含むことができる。該発電機は、圧縮気体によって前記タービンホイールを駆動することによって駆動される。
【００１１】
この特徴によれば、圧縮気体を前記タービンホイールに供給し前記発電機を駆動して、前記塗料吐出装置用に発電するために、前記第１と第２のモジュール部分に設けられた通路を更に含むことができる。
【００１２】
この特徴によれば、前記第１と第２のモジュール部分の各々は、第１の形状部分と、組立てられたモジュールとなったときに、第１の形状部分を受容する第２の形状部分とを含むことができる。
【００１３】
この特徴によれば、前記モジュールは、ピストル形に形成された塗料吐出装置のハンドルの先端部に取付けるようにできる。組立てられたモジュールの前記ハンドルに対する配向を補助するために、前記第１と第２のモジュール部分の各々は、該第１と第２のモジュール部分の他方と恊働して前記ハンドルの先端部に設けられた第２の形状部分を受容する形状部分を含むことができる。
【００１４】
この特徴によれば、前記第１と第２のモジュール部分は、該第１と第２のモジュール部分に設けられた複数の通路に受容される複数のネジ締結具によって互いに接合されて前記組立てられたモジュールとするようにできる。
【００１５】
この特徴によれば、前記複数の通路間にモジュールをハンドルに取付けるためのネジ締結具を受容するための空間を形成するようにできる。
【００１６】
この特徴によれば、前記モジュールが発電機を更に含み、該発電機が、シャフトと、圧縮気体により駆動され該発電機を駆動する前記シャフトに取付けられたタービンホイールとを有するようにできる。
【００１７】
この特徴によれば、第１と第２のモジュール部分の少なくと一方に設けられた通路を更に含むようにできる。該通路によって前記タービンホイールに圧縮気体を供給して前記発電機を駆動し、前記工具のために発電するようにできる。
【００１８】
本考案の他の特徴によれば、塗料吐出装置のハンドルの端部に取付けるようにしたモジュールが、塗料源に結合するための塗料継手を少なくとも具備している。該モジュールは、更に、第１と第２のモジュール部分を具備している。該第１と第２のモジュール部分を互いに組付けるとき、該第１と第２のモジュール部分の間に前記塗料継手が配置されるようになっている。
【００１９】
この特徴によれば、前記塗料源は液体塗料源を具備し、前記モジュールが更に圧縮気体継手を具備するようにできる。圧縮空気源が前記圧縮気体継手に結合される。
【００２０】
この特徴によれば、前記第１と第２のモジュール部分は、１つのモジュールに組立てられたときに、前記塗料継手と圧縮気体継手とを受容するように相補形の形状部分を設けることができる。
【００２１】
この特徴によれば、前記塗料継手と、圧縮気体継手の双方は金属製継手を具備することができる。前記第１と第２のモジュール部分は金属製締結具によって互いに組付けられる。前記モジュールは、更に、前記第１と第２のモジュール部分の少なくとも一方が導電性素子を受容するように形成されており、該導電性素子は、導電性素子を前記金属製継手および金属製締結具に押接することによって、或いは、該導電性素子と前記金属製継手および金属製締結具との間に導体を配設することによって、前記金属製継手および金属製締結具に接続されるようにできる。
【００２２】
この特徴によれば、更に、前記導電性素子と該導電性素子に結合された前記金属製継手および金属製締結具を接地に接続するために、前記圧縮気体継手および接地に結合された接地管路を更に含むことができる。
【００２３】
この特徴によれば、前記第１と第２のモジュール部分の各々は、第１の形状部分と、組立てられたモジュールとなったときに、第１の形状部分を受容する第２の形状部分とを含むことができる。
【００２４】
この特徴によれば、前記第１と第２のモジュール部分は、該第１と第２のモジュール部分に設けられた複数の通路に受容される複数のネジ締結具によって互いに接合されて前記組立てられたモジュールとするようにできる。
【００２５】
この特徴によれば、前記複数の通路間にモジュールをハンドルに取付けるためのネジ締結具を受容するための空間を形成するようにできる。
【００２６】
この特徴によれば、前記モジュールが発電機を更に含み、該発電機が、シャフトと、圧縮気体により駆動され該発電機を駆動する前記シャフトに取付けられたタービンホイールとを有するようにできる。
【００２７】
この特徴によれば、第１と第２のモジュール部分の少なくと一方に設けられた通路を更に含むようにできる。該通路によって前記タービンホイールに圧縮気体を供給して前記発電機を駆動し、前記工具のために発電するようにできる。
【図面の簡単な説明】
【００２８】
【図１】本考案によるガンの右正面から見た斜視図である。
【図２】図１のガンの一部を詳細に示す長手方向の側断面図である。
【図３】図のガンの一部を詳細に示す分解斜視図である。
【図４】図１のガンの一部を詳細に示す分解斜視図である。
【考案を実施するための形態】
【００２９】
添付図面を参照して説明する以下の詳細な説明から本考案は一層理解されよう。
なお、本明細書では、「発電機」との用語は、機械的エネルギーを電気エネルギーに変換する機械を意味し、かつ、直流電流および交流電流を発電する装置を包含する。
【００３０】
従来のガンの多くでは、ガンを作動させるために必要な空気と流体の継手は、単一のモジュールに成形されている。図示するようなガンのモジュールの構成は複雑であるので、モジュールが設計通りに型によって成形されない可能性がある。更に、圧縮気体用の継手および塗料用の継手がモジュールに一体的に形成され該モジュールから取外せないと、例えば、塗料用の継手内で塗装材料が固化し除去できなくなると、モジュールの全体を廃棄しなければならなくなる。また、両方の継手が単一の複合継手に組込まれている場合、オールステンレスの塗料／圧縮気体継手の重量が作業者の疲労の観点から問題となる。
【００３１】
通常のガンの塗料継手および圧縮気体継手は、供給管の着脱に際して装着トルクおよび取外トルクを受ける。２つの金属製継手は正しい位置に保持され、塗装材料および圧縮気体を輸送し、かつ、ガン本体つまりモジュールにおいて回転したり、供給管の着脱に際して機能しなくなってはならない。こうした構成は、継手や、ガンにおいて継手がガン内に侵入する部分に装着された供給管、典型的には柔軟なホースからの応力に耐えなければならない。
【００３２】
モジュールは複数のモジュール部分に分割され、塗料継手および圧縮気体継手は、成形後にモジュール部分の間に配設することによって装着される。
【００３３】
電力モジュール２０が噴霧ガン２４のハンドル２２の下端部に取付けられている。モジュール２０は、塗料継手２６および圧縮気体継手２８を介して塗装材料源および圧縮気体源（図示せず）に結合されている。図示する実施形態では、塗装材料源は液体塗料源であって、圧縮気体源は圧縮空気源である。図示する塗料継手２６は、通過する塗装材料に対して比較的不活性なステンレス鋼から形成される。図示する圧縮気体継手２８は、アルミニウムから形成される。モジュール２０は、１／４電源モジュール部分３４と、３／４電源モジュール部分３６とから成る。電源モジュール３４、３６の各々は、一例として、PolyOne GMF 60640 UV black 28, black, UV stabilized, glass-reinforced, mineral-filled, type 6 Nylonのような充填樹脂または充填ポリマー或いは非充填樹脂または非充填ポリマーから成形することができる。塗料継手２６および圧縮気体継手２８は、後述するように、電源モジュール部分３４、３６が互いに組付けられるとき、該電源モジュール部分３４、３６の間に配置される。モジュール２０は、また、電源制御スイッチ（図示せず）、印刷回路基板集成体４０、発電機として作用する三相分数馬力モータ４２および空圧駆動式のタービンホイール（図示せず）を含み、その目的は、米国特許出願第12/045,155号「空気式静電霧化、噴出装置用密封された電源」米国特許出願第12/045,175号「空気式静電塗料噴霧器用回路基板の形態」、米国特許出願12/045,173号「空気式静電塗料噴霧器の温度制御」、米国特許出願第12/045,169号「静電塗料噴霧器の出力電極における相対電圧の表示回路」、および、米国特許出願第12/045,178号「空気式静電塗料噴霧装置」に記載されている。
【００３４】
電源モジュール部分３４、３６はポケット部５０、５２を含み、該ポケット部は、組立てられた電源モジュール２０に圧縮気体継手２８を受承するように相補型に形成されている。電源モジュール部分３４、３６は、また、ポケット部５４、５６を含み、該ポケット部は、組立てられた電源モジュール２０に塗料継手２６を受承するように相補型に形成されている。
【００３５】
電源モジュール部分３４、３６は舌部５８、６０を含む。舌部５８、６０に隣接させて溝部６２、６４が形成されている。該溝部は、電源モジュール２０において、他方の電源モジュール３６、３４の舌部６０、５８を受容する。
【００３６】
電源モジュール部分３４、３６はポケット部６６、６８を含み、該ポケット部は、他方の電源モジュール部分３６、３４のポケット部６８、６６と恊働して、ガン２４のハンドル２２の下端部に設けられたボス７０を受容し、ハンドル２２に対する組立てられたモジュール２０を適正に配向する補助をなす。Allen head cap screwsのようなネジ締結具７８、８０を受容し、電源モジュール部分３４、３６を組立てられた電源モジュール２０として保持するために、横断方向の小孔７４、７６に例えばHeli-Coil(R) screw thread insertのようなインサート部材によってネジ部が形成されている。小孔７４、７６の間には、モジュール２０とハンドル２２とを締結するボルト８４（Allen head cap screwとすることができる）のための小孔８２が形成されている。
【００３７】
電源モジュール部分３６には、導電性の、例えばステンレス製の接地クリップ９０を受容するポケット部８８が形成されている。該接地クリップは、継手２６、２８のような全ての金属製継手に該接地クリップを押接することによって、或いは、同金属製継手とクリップ９０との間に導電体を配設することによって、全ての金属製継手に接続される。接地は、例えば、圧縮気体継手２８に所定長さの接地されたホースを設けることによって達成される。タービンホイール（図示せず）に圧縮気体を供給し、モータ発電機４２を駆動、発電するために、１または複数の通路９２が、電源モジュール部分３４、３６の一方または双方に形成される。発電された電力は、印刷回路基板集成体４０に設けられている回路によって調整され、適当な導体を介してハンドル２２からガン２４のバレル９２内に収容されている適当な高圧カスケード集成体へ供給される。
【符号の説明】
【００３８】
２０    電力モジュール
２４    噴霧ガン
２２    ハンドル
２６    塗料継手
２８    圧縮気体継手
３４    １／４電源モジュール部分
３６    ３／４電源モジュール部分
４０    印刷回路基板集成体
４２    三相分数馬力モータ
【図１】
0003170820.tif 000003
【図２】
0003170820.tif 000004
【図３】
0003170820.tif 000005
【図４】
0003170820.tif 000006
【手続補正書】
【提出日】平成23年7月11日(2011.7.11)
【手続補正２】
【補正対象書類名】実用新案登録請求の範囲
【補正対象項目名】全文
【補正方法】変更
【補正の内容】
【実用新案登録請求の範囲】
【請求項１】
ピストル形に形成された塗料吐出装置のハンドルの先端部に取付けるモジュールにおいて、
第１と第２のモジュール部分を具備し、該第１と第２のモジュール部分を互いに組付けるとき、該第１と第２のモジュール部分の間に少なくとも１つの継手が保持されるようになっており、
前記第１と第２のモジュール部分の各々が第１と第２のポケット部を含み、該第１のポケット部は、前記第１と第２のモジュール部分の他方に設けられた第１と第２のポケット部と協働して、前記ハンドルの先端部に設けられ該組立てられた第１と第２のモジュール部分の前記ハンドルに対する適正な配向を補助するボス、および、前記少なくとも１つの継手を受容するようになっており、
前記第１と第２のモジュール部分の各々は、更に、舌部と溝とを含み、一方のモジュール部分の前記溝はこれらモジュール部分が組立てられたときに、他方のモジュール部分の前記舌部を受承するようになっているモジュール。
【請求項２】
前記工具は塗料噴出装置を具備し、前記少なくとも１つの継手は塗料継手と、圧縮気体継手の双方を含み、該第１と第２のモジュール部分は、組立てられたモジュール内に塗料継手と、圧縮気体継手を受容するために、第３のポケット部を更に含んでいる請求項１記載のモジュール。
【請求項３】
前記塗料継手と、圧縮気体継手の双方は金属製継手を具備し、前記第１と第２のモジュール部分は金属製締結具によって互いに組付けられ、前記モジュールは、更に、前記第１と第２のモジュール部分の少なくとも一方が導電性素子を受容するように形成されており、該導電性素子は、導電性素子を前記金属製継手および金属製締結具に押接することによって、或いは、該導電性素子と前記金属製継手および金属製締結具との間に導体を配設することによって、前記金属製継手および金属製締結具に接続される請求項２に記載のモジュール。
【請求項４】
更に、前記導電性素子と該導電性素子に結合された前記金属製継手および金属製締結具を接地に接続するために、前記圧縮気体継手および接地に結合された接地管路を更に含む請求項３に記載のモジュール。
【請求項５】
シャフトと、該シャフトに取付けられたタービンホイールとを有した発電機を更に含み、該発電機は、圧縮気体によって前記タービンホイールを駆動することによって駆動される請求項２に記載のモジュール。
【請求項６】
圧縮気体を前記タービンホイールに供給し前記発電機を駆動して、前記塗料吐出装置用に発電するために、前記第１と第２のモジュール部分に設けられた通路を更に含む請求項５に記載のモジュール。
【請求項７】
前記第１と第２のモジュール部分の各々は、第１の形状部分と、組立てられたモジュールとなったときに、第１の形状部分を受容する第２の形状部分とを含む請求項５に記載のモジュール。
【請求項８】
前記第１と第２のモジュール部分は、該第１と第２のモジュール部分に設けられた複数の通路に受容される複数のネジ締結具によって互いに接合されて前記組立てられたモジュールとなる請求項１に記載のモジュール。
【請求項９】
前記複数の通路間にモジュールをハンドルに取付けるためのネジ締結具を受容するための空間が形成されている請求項８に記載のモジュール。
【請求項１０】
発電機を更に含み、
該発電機が、シャフトと、圧縮気体により駆動され該発電機を駆動する前記シャフトに取付けられたタービンホイールとを有している請求項１に記載のモジュール。
【請求項１１】
第１と第２のモジュール部分の少なくと一方に設けられた通路を更に含み、該通路によって前記タービンホイールに圧縮気体を供給して前記発電機を駆動し、前記工具のために発電するようにした請求項８に記載のモジュール。